(57)【要約】【課題】天井吊り設置または壁掛け設置のどちらでも設置可能であり、設置位置に伴ってドレンポンプの動作の有効と無効を切換することができる空気調和機を提供する。【解決手段】送風手段９と、熱交換器２と、熱交換器２に生ずる凝縮水を貯溜するための水受け皿６と、水受け皿６に貯留した凝縮水を排出するドレンポンプ３と、設置位置切換手段７を備え、空気調和機１の設置位置に伴ってドレンポンプ３の動作を制御し、設置位置切換手段７にてドレンポンプ３の動作の有効と無効を切換することにより、送風手段９と熱交換器２の相対位置関係が水平であっても垂直であっても空気調和機１の設置が可能となる。また、水平検知手段８を備えることにより、検知信号に基づいてドレンポンプ３の動作の有効と無効を切換することにより、送風手段９と熱交換器２の相対位置関係が水平であっても垂直であっても空気調和機１の設置が可能となる。【選択図】図１
2006194554.tif 000002
【特許請求の範囲】
【請求項１】
送風手段と、熱交換器と、前記熱交換器に生ずる凝縮水を貯溜するための水受け皿を備え、送風手段と熱交換器の相対位置関係が水平であっても垂直であっても空気調和機の設置が可能であることを特徴とした空気調和機。
【請求項２】
水受け皿に貯留した凝縮水を排出するドレンポンプを備え、空気調和機の設置位置に伴って前記ドレンポンプの動作を制御できることを特徴とした請求項１に記載の空気調和機。
【請求項３】
設置位置切換手段を備え、空気調和機の設置位置に伴ってドレンポンプの動作の有効と無効を切換することができることを特徴とした請求項１または２に記載の空気調和機。
【請求項４】
水平検知手段を備え、検知信号に基づいてドレンポンプの動作の有効と無効を切換することができることを特徴とした請求項１〜３のいずれか１項に記載の空気調和機。
【請求項５】
設置位置切換手段は、リモコンにより設定することができることを特徴とした請求項１〜４のいずれか１項に記載の空気調和機。
【請求項６】
設置位置切換手段は、ドレンポンプに備えられていることを特徴とした請求項１〜５のいずれか１項に記載の空気調和機。
【請求項７】
水平検知手段は、ドレンポンプに備えられていることを特徴とした請求項１〜６のいずれか１項に記載の空気調和機。
【発明の詳細な説明】
【技術分野】
【０００１】
本発明は天井吊り設置または壁掛け設置のどちらでも設置可能であり、設置位置に伴ってドレンポンプの動作の有効と無効を切換することができる空気調和機に関するものである。
【背景技術】
【０００２】
従来からよく知られている空気調和機は天井吊り設置用と、壁掛け設置用と、床置き設置用等、設置位置により形態が異なっている。例えば、天吊式空気調和機は、冷房運転時において、熱交換器から発生する凝縮水を貯溜するための水受け皿を備えており、水受け皿に貯留された凝縮水は、ドレンポンプにより屋外へ強制排出されることとなっている（例えば、特許文献１参照）。
【０００３】
また、壁掛け式空気調和機は、冷房運転時において、熱交換器から発生する凝縮水は、ドレンパイプを介しての自然排出により屋外へ排出されることとなっている。
【０００４】
図５は、特許文献１に記載された従来の天吊式空気調和機の断面図を示すものである。図５に示すように、空気調和機本体１と、熱交換器２と、ドレンポンプ３と、ドレンホース４と、ドレンパイプ５と、水受け皿６と、送風手段９から構成されている。
【特許文献１】特開２００３−２８４５５号公報
【発明の開示】
【発明が解決しようとする課題】
【０００５】
しかしながら、前記従来の構成では、天井吊り設置または壁掛け設置のどちらでも設置可能な空気調和機ではなく、設置位置に伴った形態となっている。例えば、天吊式空気調和機を壁掛け設置しようとした場合、送風手段と熱交換器の相対位置関係が水平から垂直になる為、熱交換器から発生する凝縮水を貯溜するための水受け皿も垂直となり、漏水するという課題や、ドレンポンプを運転する必要性がなくなるという課題を有していた。
【０００６】
また例えば、壁掛け式空気調和機を天井吊り設置しようとした場合、送風手段と熱交換器の相対位置関係が垂直から水平になる為、熱交換器から発生する凝縮水を貯溜するための水受け皿も水平となり、漏水してしまうという課題や、ドレンポンプが備えられていない為、ドレンアップできず熱交換器から発生する凝縮水は、ドレンパイプを介しての自然排出しか手段がなくなるという課題を有していた。
【０００７】
上記のように、設置位置に合わない形態の空気調和機は設置することができない構成となっている。
【０００８】
本発明は、前記従来の課題を解決するもので、天井吊り設置または壁掛け設置のどちらでも設置可能であり、設置位置に伴ってドレンポンプの動作の有効と無効を切換することができる空気調和機を提供することを目的とする。
【課題を解決するための手段】
【０００９】
前記従来の課題を解決するために、本発明の空気調和機は、送風手段と、熱交換器と、熱交換器に生ずる凝縮水を貯溜するための水受け皿を備え、送風手段と熱交換器の相対位置関係が水平であっても垂直であっても空気調和機の設置が可能としたものである。
【００１０】
これによって、天井吊り設置または壁掛け設置のどちらでも設置可能になり、設置位置
の如何にかかわらず、熱交換器から発生する凝縮水を貯溜するための水受皿によって、漏水する恐れがなくなる。
【００１１】
また、本発明の空気調和機は、水受け皿に貯留した凝縮水を排出するドレンポンプを備え、空気調和機の設置位置に伴ってドレンポンプの動作を制御できるようにしたものである。
【００１２】
これによって、天井吊り設置の場合には、水受け皿に貯留された凝縮水をドレンポンプによる強制排出にて屋外へ排出することが可能となる。また、壁掛け設置の場合には、ドレンポンプを動作させず、ドレンパイプを介して自然排出させることが可能となる。
【発明の効果】
【００１３】
本発明の空気調和機は、送風手段と熱交換器の相対位置関係が水平であっても垂直であっても空気調和機の設置が可能であり、前記空気調和機の設置位置に伴ってドレンポンプの動作の有効と無効を切換することができるので、ユーザーの選択肢を広げると共に、空気調和機の移設にも柔軟に対応できる。
【発明を実施するための最良の形態】
【００１４】
第１の発明は、送風手段と、熱交換器と、送風手段と熱交換器の相対位置関係が水平であっても垂直であっても熱交換器に生ずる凝縮水を漏水せず貯溜する水受け皿を備えることにより、送風手段と熱交換器の相対位置関係が水平であっても垂直であっても空気調和機の設置をすることができる。
【００１５】
第２の発明は、特に、第１の発明の空気調和機に水受け皿に貯留した凝縮水を排出するドレンポンプを備えることにより、凝縮水を屋外へ強制排出することができ、更に空気調和機の設置位置に伴ってドレンポンプの動作を制御することができるので、送風手段と熱交換器の相対位置関係が水平であっても垂直であっても空気調和機の設置をすることができる。
【００１６】
第３の発明は、特に、第１または第２の発明の空気調和機に設置位置切換手段を備えることにより、空気調和機の設置位置に伴ってドレンポンプの動作の有効と無効を切換することができるので、送風手段と熱交換器の相対位置関係が水平であっても垂直であっても空気調和機の設置をすることができる。
【００１７】
第４の発明は、特に、第１〜３のいずれか１つの発明の空気調和機に水平検知手段を備えることにより、検知信号に基づいてドレンポンプの動作の有効と無効を切換することができるので、送風手段と熱交換器の相対位置関係が水平であっても垂直であってもわざわざ設定切替をする必要なく、空気調和機の設置をすることができる。
【００１８】
第５の発明は、特に、第１〜４のいずれか１つの発明の空気調和機における設置位置切換手段は、空気調和機の設置位置をリモコンで設定することにより、空気調和機の設置位置に伴ってドレンポンプの動作の有効と無効を切換することができるので、送風手段と熱交換器の相対位置関係が水平であっても垂直であっても室内で簡単な操作で設定切替ができ、空気調和機の設置をすることができる。
【００１９】
第６の発明は、特に、第１〜５のいずれか１つの発明の空気調和機における設置位置切換手段が、ドレンポンプに備えられおり、空気調和機の設置位置に伴ってドレンポンプの動作の有効と無効を切換することができるので、送風手段と熱交換器の相対位置関係が水平であっても垂直であっても空気調和機の設置をすることができる。
【００２０】
第７の発明は、特に、第１〜６のいずれか１つの発明の空気調和機における水平検知手段が、ドレンポンプに備えられおり、検知信号に基づいてドレンポンプの動作の有効と無効を切換することができるので、送風手段と熱交換器の相対位置関係が水平であっても垂直であってもわざわざ設定切替をする必要なく、空気調和機の設置をすることができる。
【００２１】
以下、本発明の実施の形態について、図面を参照しながら説明する。なお、この実施の形態によって本発明が限定されるものではない。
【００２２】
（実施の形態１）
本発明の空気調和機を第１の実施の形態の図１および図２を参照して詳細に説明する。
【００２３】
図１は、本発明の第１の実施の形態における天吊り設置時の空気調和機の断面図を示すものである。
【００２４】
図１において、空気調和機１は、熱交換器２と送風手段９を備え、冷房運転時において、熱交換器２から発生する凝縮水を貯溜するための水受け皿６、ドレンポンプ３、ドレンホース４、ドレンパイプ５を備えている構成となっている。上記構成によれば、水受け皿６は熱交換器２の鉛直投影面を十分覆うように設置されているので、送風手段９と熱交換器９の相対位置関係が水平であっても熱交換器２に生ずる凝縮水を漏水せず貯溜する水受け皿６を備えており、天吊り設置が可能となり、水受け皿６に貯留された凝縮水は、ドレンポンプ３による強制排出により屋外へ排出される。
【００２５】
図２は本発明の第１の実施の形態における壁掛け設置時の空気調和機の断面図を示すものである。
【００２６】
図２において、空気調和機１は、図１と同構成となっているが、水受け皿６はこの壁掛け設置時においても熱交換器２の鉛直投影面を十分覆うように設置されているので、送風手段９と熱交換器９の相対位置関係が水平であっても熱交換器２に生ずる凝縮水を漏水せず貯溜する水受け皿６を備えている。上記構成によれば、ドレンポンプ３は使用できない為、運転を停止させるよう制御し、水受け皿６に貯留された凝縮水は、ドレンパイプ５を介しての自然排出により屋外へ排出されるので、壁掛け設置も可能となる。
【００２７】
尚、本実施の形態では、送風手段９はクロスフローファンを想定しているが、その他のファンを設置位置によって切換えて使ってもよい。また、熱交換した空気の吹出部１１の位置が異なっていてもよいし、複数あってもよい。
【００２８】
また本発明の空気調和機は、他に室温コントロールに必要な冷凍サイクルの部位や各種センサー等を備えている。
【００２９】
以上のように、本実施の形態においては熱交換器２に生ずる凝縮水を、送風手段９と熱交換器２の相対位置関係が水平であっても垂直であっても漏水せず貯溜する水受け皿６を備えることにより、送風手段９と熱交換器２の相対位置関係が水平であっても垂直であっても空気調和機１の設置をすることができる。
【００３０】
また、本実施の形態では水受け皿６に貯留した凝縮水を排出するドレンポンプ３を備え、空気調和機１の設置位置に伴って、ドレンポンプ３の動作を制御することで、天吊り設置時には水受け皿６に貯留した凝縮水を強制排出にて屋外へ排出できる。また壁掛け設置時には動作無効とし、余分な消費電力を抑えるとともに、水受け皿６に貯留した凝縮水はドレンパイプ５を介しての自然排出により屋外へ排出することができる。
【００３１】
（実施の形態２）
図３は、本発明の第２の実施の形態における天吊り設置時の空気調和機の断面図を示すものである。
【００３２】
図３において、空気調和機１は、実施の形態１の構成に設置位置切換手段７（例えば、設置位置切換スイッチ）を備えている構成となっている。上記構成によれば、空気調和機１の設置位置に伴って設置位置切換手段７を手動切換することで、天吊り設置時にはドレンポンプ３の動作は有効とし、壁掛け設置時にはドレンポンプ３の動作は無効というように切換することができる。
【００３３】
また、本実施の形態の設置位置切換手段７を、リモコン１３にて空気調和機１の設置位置に伴った設定をすることで、ドレンポンプ３の動作の有効と無効を切換することができる。
【００３４】
また、本実施の形態の設置位置切換手段７がドレンポンプ３に備えられている構成となっても、上記と同様の効果が得られる。
【００３５】
（実施の形態３）
図４は、本発明の第３の実施の形態における天吊り設置時の空気調和機の断面図を示すものである。
【００３６】
図４において、空気調和機１は、実施の形態１の構成に水平検知手段８（例えば、フロートスイッチ）を備えている構成となっている。上記構成によれば、空気調和機１の設置位置が水平か垂直かを検知して、検知信号に基づいて自動切換することで、ドレンポンプ３の動作の有効と無効を切換することができる。
【００３７】
また、本実施の形態の水平検知手段8が、ドレンポンプに備えられている構成となっても、上記と同様の効果が得られる。
【産業上の利用可能性】
【００３８】
以上のように、本発明にかかる空気調和機は、送風手段と熱交換器の相対位置関係が水平であっても垂直であっても空気調和機の設置が可能であり、前記空気調和機の設置位置に伴ってドレンポンプの動作の有効と無効を切換することが可能となるので、ドレンポンプ以外にも、例えばベローズポンプの動作の制御や、ファン速や羽根角度の制御を設置位置に伴って、有効と無効の切換または、変化させる等の用途にも適用できる。
【図面の簡単な説明】
【００３９】
【図１】本発明の実施の形態１における天吊り設置時の空気調和機の断面図
【図２】本発明の実施の形態１における壁掛け設置時の空気調和機の断面図
【図３】本発明の実施の形態２における天吊り設置時の空気調和機の断面図
【図４】本発明の実施の形態３における天吊り設置時の空気調和機の断面図
【図５】従来の天吊式空気調和機の断面図
【符号の説明】
【００４０】
１  空気調和機（空気調和機本体）
２  熱交換器
３  ドレンポンプ
４  ドレンホース
５  ドレンパイプ
６  水受け皿
７  設置位置切換手段
８  水平検知手段
９  送風手段
１０  吸込部
１１  吹出部
１２  化粧グリル
１３  リモコン
【図１】
2006194554.tif 000003
【図２】
2006194554.tif 000004
【図３】
2006194554.tif 000005
【図４】
2006194554.tif 000006
【図５】
2006194554.tif 000007